(57)【要約】【課題】前後方向又は三方向から視認可能で、収納・持ち運びに便宜かつ、ディスプレイパネルの取付、取外しが容易な自立性のパネルディスプレイ装置の提供を図ることにある。【解決手段】設置面３５に載置された基台１１上に所定の間隔を有して立設される支柱４０，４１と、上記支柱４０，４１間に設けられたディスプレイパネル２９ａ，２９ｂ，３０ａ，３０ｂとを備え、上記ディスプレイパネル２９ａ，２９ｂ，３０ａ，３０ｂは上記支柱４０，４１間の高さ方向に沿って設けられ、上記ディスプレイパネル２９ａ，２９ｂ，３０ａ，３０ｂは上記支柱４０，４１間の幅寸法よりも広い幅寸法を有する。【実用新案登録請求の範囲】
【請求項１】
設置面に載置された基台上に所定の間隔を有して立設される支柱と、上記支柱間に設けられたディスプレイパネルとを備え、
上記ディスプレイパネルは上記支柱間の高さ方向に沿って設けられ、
上記ディスプレイパネルは上記支柱間の幅寸法よりも広い幅寸法を有することを特徴とするディスプレイ装置。
【請求項２】
設置面に載置された基台上に所定の間隔を有して立設される一対の支柱と、上記一対の支柱間に設けられた一対のディスプレイパネルとを備え、
上記一対のディスプレイパネルは上記一対の支柱間の高さ方向に沿って設けられ、
上記一対のディスプレイパネルは上記一対の支柱間の幅寸法よりも広い幅寸法を有し、
上記一対のディスプレイパネルは上記基台外方に向かって夫々凸状に湾曲して配置されていることを特徴とするディスプレイ装置。
【請求項３】
設置面に載置された基台上に所定の間隔を有して立設される３本の支柱と、上記支柱間に設けられたディスプレイパネルとを備え、
上記ディスプレイパネルは上記支柱間の高さ方向に沿って設けられ、
上記ディスプレイパネルは上記支柱間の幅寸法よりも広い幅寸法を有し、
上記ディスプレイパネルは上記基台内方に向かって凸状に湾曲して配置されていることを特徴とするディスプレイ装置。
【請求項４】
上記ディスプレイパネルは左右端縁に凸片部が設けられ、上記支柱は上記ディスプレイパネルの凸片部に対応した凹部が設けられ、上記凸片部は、上記支柱に設けられた凹部に取り外し自在に係合されることを特徴とする、請求項１ないし３記載のディスプレイ装置。
【請求項５】
上記基台が設けられた支柱の上端部には、上記基台に平行な上方基板が設けられた
ことを特徴とする請求項１ないし４記載のパネルディスプレイ装置。
【請求項６】
上記基台と上記上方基板との間には、上記基台と上記上方基板とに平行な中間板が設けられたことを特徴とする請求項１ないし５記載のパネルディスプレイ装置。
【請求項７】
上記基台と上記中間板、及び上記中間板と上記上方基板との間には、夫々ディスプレイパネルが設けられたことを特徴とする請求項１ないし６記載のディスプレイ装置。
【考案の詳細な説明】
【技術分野】
【０００１】
本考案は、ディスプレイ装置に係り、特に、収容体積がコンパクトで、ディスプレイ効果の高いディスプレイ装置に関する。
【背景技術】
【０００２】
従来から、ディスプレイパネルを湾曲状に支持する種々のディスプレイ装置が提供されている。上記ディスプレイパネルを湾曲状に保持する手段としては、湾曲板１の両側に側折線２を介して延設した接着片３を柱板４の背面に接着して取り付け、柱板４の正面下部に陳列台５を取り付け、柱板４どうしの角度及び間隔を変化させることで、湾曲板１の曲がり具合を調整できることとした湾曲ポップが存在する（特許文献１）。
【０００３】
また、周面に長手方向へ延びる所定巾の差込溝４が形成された一対の脚体３，３が前記差込溝４を互いに対向させ且つ、支持するカード類２の長手巾よりも狭い間隔を有して基台１に立設されていることを特徴とするカード類指示具が存在する（特許文献２）。
【特許文献１】特開２０００−１２２５４０
【特許文献２】実開平０４−２２７７２
【考案の開示】
【考案が解決しようとする課題】
【０００４】
ここで、特許文献１にかかる発明において、湾曲板１は柱板４を介して陳列台５に接着されているため、上記湾曲ポップは収納・持ち運びが不便なものとなるとともに、一度湾曲板の接着を行った後は、湾曲板１のみを交換することはできない。また、上記湾曲板１は、背面へ向けて湾曲させた湾曲板１の両側に柱板４の背面を介して正面下部に陳列台４を設けたものであるから、湾曲板が設けられた一方の面に対してのみディスプレイ効果の提供を図るものであり、前後方向から視認可能な立体感のあるディスプレイ効果を提供することはできない。
【０００５】
また、特許文献２にかかる考案は、写真などの細長のカード類の支持具であり、かかるカード類の支持の方法としては、所定巾の差込溝が形成された一対の脚体の間に
写真などを取り外し可能に嵌め込むことにより支持される。
上記カード類支持具は、パノラマ写真や絵画など比較的細長のカード類の支持を目的とし、机上や棚上などにおける飾り或いは展示に関するものであり、例えば、商品売り場や展示場等の床面等に設置して大型のディスプレイパネルを装着することはできない。
従って、従来より商品売り場や展示場の床面等に設置でき、大型のディスプレイパネルを交換可能に装着できるディスプレイ装置が要望されていた。
【０００６】
そこで、本考案が解決しようとする課題は、前後方向又は三方向から視認可能で、収納・持ち運びに便宜かつ、ディスプレイパネルの取付、取外しが容易な自立性のパネルディスプレイ装置の提供を図ることにある。
【課題を解決するための手段】
【０００７】
このような技術的課題解決のため、請求項１の記載の考案にあっては、設置面３５に載置された基台１１上に所定の間隔を有して立設される支柱４０，４１と、上記支柱４０，４１間に設けられたディスプレイパネル２９ａ，２９ｂ，３０ａ，３０ｂとを備え、上記ディスプレイパネル２９ａ，２９ｂ，３０ａ，３０ｂは上記支柱４０，４１間の高さ方向に沿って設けられ、上記ディスプレイパネル２９ａ，２９ｂ，３０ａ，３０ｂは上記支柱４０，４１間の幅寸法よりも広い幅寸法を有することを特徴とするディスプレイ装置１０に関するものである。
したがって、請求項１記載の考案にあっては、上記ディスプレイパネル２９ａ，２９ｂ，３０ａ，３０ｂは上記支柱４０，４１間において湾曲状に支持され、設置面３５に対し自立させることができる。
【０００８】
請求項２記載の考案は、設置面３５に載置された基台１１上に所定の間隔を有して立設される一対の支柱４０，４１と、上記一対の支柱４０，４１間に設けられた一対のディスプレイパネル２９ａ，２９ｂ及び３０ａ，３０ｂとを備え、上記一対のディスプレイパネル２９ａ，２９ｂ及び３０ａ，３０ｂは上記一対の支柱４０，４１の高さ方向に沿って設けられ、上記一対のディスプレイパネル２９ａ，２９ｂ及び３０ａ，３０ｂの幅寸法は上記一対の支柱４０，４１間の幅寸法よりも広い幅寸法を有し、上記一対のディスプレイパネル２９ａ，２９ｂ及び３０ａ，３０ｂは上記基台１１外方に向かって夫々凸状に湾曲して配置されていることを特徴とするディスプレイ装置１０に関するものである。
したがって、請求項２記載の考案にあっては、上記一対のディスプレイパネル２９ａ，２９ｂ及び３０ａ，３０ｂを夫々上記基台１１外方に向かって凸状に湾曲に支持することができる。
【０００９】
請求項３記載の考案は、設置面３５に載置された基台１１上に所定の間隔を有して立設される３本の支柱４０，４１，４２と、上記支柱４０，４１，４２間に設けられたディスプレイパネル２９ａ，２９ｂ，２９ｃ，３０ａ，３０ｂ，３０ｃとを備え、上記ディスプレイパネル２９ａ，２９ｂ，２９ｃ，３０ａ，３０ｂ，３０ｃは上記支柱４０，４１，４２間の高さ方向に沿って設けられ、上記ディスプレイパネル２９ａ，２９ｂ，２９ｃ，３０ａ，３０ｂ，３０ｃは上記支柱４０，４１，４２間の幅寸法よりも広い幅寸法を有し、上記ディスプレイパネル２９ａ，２９ｂ，２９ｃ，３０ａ，３０ｂ，３０ｃは上記基台１１内方に向かって凸状に湾曲して配置されていることを特徴とするディスプレイ装置１０に関するものである。
したがって、請求項３記載の考案にあっては、上記ディスプレイパネル２９ａ，２９ｂ，２９ｃ及び３０ａ，３０ｂ，３０ｃを夫々上記基台１１内方に向かって凸状に湾曲に支持することができる。
【００１０】
請求項４記載の考案は、上記ディスプレイパネル２９ａ，２９ｂ，３０ａ，３０ｂは左右端縁に凸片部３３ａ，３３ｂ，３３ｃ，３３ｄが設けられ、上記支柱４０，４１，４２は上記ディスプレイパネル２９ａ，２９ｂ，２９ｃ，３０ａ，３０ｂ，３０ｃの凸片部３３ａ，３３ｂ，３３ｃ，３３ｄに対応した凹部３４ａ，３４ｂ，３４ｃ，３４ｄが設けられ、上記凸片部３３ａ，３３ｂ，３３ｃ，３３ｄは、上記支柱４０，４１に設けられた凹部３４ａ，３４ｂ，３４ｃ，３４ｄに取り外し自在に係合されることを特徴とする、請求項１ないし３記載のディスプレイ装置１０に関するものである。
したがって、請求項４記載の考案にあっては、上記ディスプレイパネル２９ａ，２９ｂ，３０ａ，３０ｂに設けられた凸片部３３ａ，３３ｂ，３３ｃ，３３ｄを、上記支柱４０，４１に設けられた凹部３４ａ，３４ｂ，３４ｃ，３４ｄに係合することにより、取り外し自由に差し替えることができる。
【００１１】
請求項５記載の考案は、上記基台１１が設けられた上記支柱４０，４１の上端部２２ａ，２２ｂには、上記基台１１に平行な上方基板１６が設けられたことを特徴とする請求項１ないし４記載のパネルディスプレイ装置１０に関するものである。
したがって、請求項５記載の考案にあっては、上記支柱４０，４１を、上記基台１１に係合された下端部１９ａ，１９ｂのみならず、上記支柱４０，４１の上端部２２ａ，２２ｂにおいても支持することができる。
【００１２】
請求項６記載の考案は、上記基台１１と上記上方基板１６との間には、上記基台１１と上記上方基板１６とに平行な中間板１７が設けられたことを特徴とする請求項１ないし５記載のパネルディスプレイ装置１０に関するものである。
したがって、請求項６記載の考案にあっては、上記基台１１と上記上方基板１６との間に展示物などを載置可能な中間板を設けることができる。
【００１３】
請求項７記載の考案は、上記基台１１と上記中間板１７、及び上記中間板１７と上記上方基板１６との間には、夫々ディスプレイパネル２９ａ，２９ｂ，３０ａ，３０ｂが設けられたことを特徴とする請求項１ないし６記載のディスプレイ装置１０に関するものである。
したがって、請求項７記載の考案にあっては、上記中間板１７の上方にはディスプレイパネル２９ａ，２９ｂを、上記中間板１７の下方にはディスプレイパネル３０ａ，３０ｂを配置することができる。
【考案の効果】
【００１４】
本考案は、上記のように構成されているので、以下に構成されるような効果を奏する。
請求項１記載の考案によれば、上記ディスプレイパネル２９ａ，２９ｂ，３０ａ，３０ｂは上記支柱４０，４１間の高さ方向に沿って設けられ、上記ディスプレイパネルは上記支柱４０，４１間の幅寸法よりも広い幅寸法を有することから、上記ディスプレイパネル２９ａ，２９ｂ，３０ａ，３０ｂを湾曲して保持することができる。また、上記ディスプレイパネル２９ａ，２９ｂ，３０ａ，３０ｂは上記設置面３５に載置された基台１１上に立設された支柱４０，４１に設けられているため、自立したディスプレイ装置１０とすることができる。
【００１５】
請求項２記載の考案によれば、上記一対のディスプレイパネル２９ａ，２９ｂと３０ａ，３０ｂは上記基台１１外方に向かって夫々凸状に湾曲して配置されていることから、前後方向から視認可能で立体感のあるディスプレイ効果を提供することができる。
【００１６】
請求項３記載の考案によれば、上記支柱４０，４１，４２は３本立設されていることから、上記夫々の支柱４０，４１，４２間には夫々３面のディスプレイパネル２９ａ，３０ａと２９ｂ，３０ｂと２９ｃ，３０ｃを設けることができ、前後方向からのみならず、３方向からディスプレイパネル２９ａ，３０ａと２９ｂ，３０ｂと２９ｃ，３０ｃの視認することができ、商品売り場、展示場などにおいて、より効果的なディスプレイ効果を提供することが可能となる。また、上記ディスプレイパネル２９ａ，３０ａと２９ｂ，３０ｂと２９ｃ，３０ｃは上記基台１１内方に向かって凸状に湾曲して配置されていることから、奥行き感のある表現を可能としたディスプレイパネル２９ａ，３０ａと２９ｂ，３０ｂと２９ｃ，３０ｃの提供を行うことができる。
【００１７】
請求項４記載の考案によれば、上記ディスプレイパネル２９ａ，２９ｂ，３０ａ，３０ｂの差し替えは、上記ディスプレイパネル２９ａ，２９ｂ，３０ａ，３０ｂに設けられた凸片部３３ａ，３３ｂ，３３ｃ，３３ｄを上記支柱４０，４１に設けられた凹部３４ａ，３４ｂ，３４ｃ，３４ｄに嵌めこむことにより行うことができるため、別途留め具等を必要とせず、ディスプレイ装置１０の組立、取り外しが容易となる。また、上記ディスプレイパネル２９ａ，２９ｂ，３０ａ，３０ｂは、上記支柱４０，４１間に対し取り外し自在に係合されているため、上記ディスプレイパネル２９ａ，２９ｂ，３０ａ，３０ｂのみを差し替えることにより、上記基台１１及び上記支柱４０，４１について長期間使用できる。
【００１８】
請求項５記載の考案によれば、上記支柱４０，４１を上記基台１１と上記上方基板１６の双方により支持することができるため、上記ディスプレイ装置１０を安定して保持することができる。
【００１９】
請求項６記載の考案によれば、上記中間板１７の上部に展示物を載置することができるとともに、上記支柱４０，４１を上記中間板１７と、上記基台１１と、上記上方基板１６とにより支持することができるため、上記ディスプレイ装置１０を安定して保持することができる。
【００２０】
請求項７記載の考案によれば、上記ディスプレイパネル２９ａ，２９ｂ，３０ａ，３０ｂは、上下２段に構成することができるため、夫々異なる図柄より構成されるディスプレイパネル２９ａ，２９ｂ，３０ａ，３０ｂを設けることができるため、より多彩なディスプレイ表示を行うことができる。
【考案を実施するための最良の形態】
【００２１】
以下、添付図面に示す実施の形態に基づき、本考案にかかるディスプレイ装置１０を詳細に説明する。
【００２２】
本実施の形態に係るディスプレイ装置１０は、図１に示すように、設置面３５に載置された基台１１上に所定の間隔を有して立設される支柱４０，４１と、上記支柱４０，４１間に設けられたディスプレイパネル２９ａ，２９ｂ，３０ａ，３０ｂとを備え、上記ディスプレイパネル２９ａ，２９ｂ，３０ａ，３０ｂは上記支柱４０，４１間の高さ方向に沿って設けられ、上記ディスプレイパネル２９ａ，２９ｂ，３０ａ，３０ｂは上記支柱４０，４１間の幅寸法よりも広い幅寸法を有している。
また、図１に示すように、上記一対のディスプレイパネル２９ａ，２９ｂ，３０ａ，３０ｂは上記基台１１外方に向かって夫々凸状に湾曲して配置されている。
また本考案の他の実施の形態にかかるディスプレイ装置５０は、図３に示すように、設置面３５に載置された基台１１上に所定の間隔を有して立設される３本の支柱４０，４１，４２と、上記支柱４０，４１，４２間に設けられたディスプレイパネル２９ａ，２９ｂ，２９ｃ，３０ａ，３０ｂ，３０ｃとを備え、上記ディスプレイパネル２９ａ，２９ｂ，２９ｃ，３０ａ，３０ｂ，３０ｃは上記支柱４０，４１，４２間の高さ方向に沿って設けられ、上記ディスプレイパネル２９ａ，２９ｂ，３０ａ，３０ｂは上記支柱４０，４１，４２間の幅寸法よりも広い幅寸法を有し、上記ディスプレイパネル２９ａ，２９ｂ，２９ｃ，３０ａ，３０ｂ，３０ｃは上記基台１１内方に向かって凸状に湾曲して配置されている。
また、図１，２に示すように、上記ディスプレイパネル２９ａ，２９ｂ，３０ａ，３０ｂは左右端縁に凸片部３３ａ，３３ｂ，３３ｃ，３３ｄが設けられ、上記支柱４０，４１は上記ディスプレイパネル２９ａ，２９ｂ，３０ａ，３０ｂの凸片部３３ａ，３３ｂ，３３ｃ，３３ｄに対応した凹部３４ａ，３４ｂ，３４ｃ，３４ｄが設けられ、上記凸片部３３ａ，３３ｂ，３３ｃ，３３ｄは、上記支柱に設けられた凹部３４ａ，３４ｂ，３４ｃ，３４ｄに取り外し自在に係合されている。
また、図１に示すように、上記基台１１が設けられた支柱４０，４１の上端部には、上記基台１１に平行な上方基板１６が設けられている。
また、図１に示すように、上記基台１１と上記上方基板１６との間には、上記基台１１と上記上方基板１６とに平行な中間板１７が設けられている。
また、図１に示すように、上記基台１１と上記中間板１７、及び上記中間板１７と上記上方基板１６との間には、夫々ディスプレイパネル２９ａ，２９ｂ，３０ａ，３０ｂが設けられている。
【実施例】
【００２３】
ディスプレイ装置１０は、図１に示すように、店舗や催し物会場の床面に載置され、大型ディスプレイパネルの展示に用いられる。
本実施の形態に係るディスプレイ装置１０は、略人間の背丈と同じ程度の高さ寸法に形成され、図１に示すように、上記ディスプレイ装置１０は、所定の厚さ寸法を有し設置面３５に載置された平面略楕円形状の基台１１と、上記基台１１に立設される支柱４０，４１と、上記支柱４０，４１間に設けられた平面板状のディスプレイパネル２９ａ，２９ｂ，３０ａ，３０ｂが備えられている。
【００２４】
上記基台１１はネジ穴１８ａ，１８ｂを有し、上記ネジ穴１８ａ，１８ｂは、上記基台１１上に上記ディスプレイパネル２９ａ，２９ｂ，３０ａ，３０ｂの幅寸法よりも狭い幅間隔に開設されている。
【００２５】
上記支柱４０，４１は、夫々上下２本の短い上方支柱４０ａ，４１ａ及び下方支柱４０ｂ，４１ｂにより形成され、上記支柱４０，４１を形成する下方支柱４０ｂ，４１ｂの下端部１９ａ，１９ｂには上記基台１１上に設けられたネジ穴１８ａ，１８ｂに対応するネジ部を有し、上記下方支柱４０ｂ，４１ｂの上端部２０ａ，２０ｂには、ネジ穴が設けられている。
上記支柱４０，４１を形成する上方支柱４０ａ，４１ａの下端部２１ａ，２１ｂには、上記下方支柱４０ｂ，４１ｂの上端部２０ａ，２０ｂに設けられたネジ穴に対応するネジ部を有し、上記上方支柱４０ａ，４１ａの上端部２２ａ，２２ｂには、ネジ穴が設けられている。
上記支柱４０，４１は、上記下方支柱４０ｂ，４１ｂの上端部２０ａ，２０ｂに設けられた、ネジ穴に対し、上記上方支柱４０ａ，４１ａの下端部２１ａ，２１ｂに設けられたネジ部を係合させることにより形成されている。
上記支柱４０，４１は、上記下方支柱４０ｂ，４１ｂの下端部１９ａ，１９ｂに設けられたネジ部を、上記ネジ穴１８ａ，１８ｂに嵌合することにより立設されている。
【００２６】
上記基台１１が設けられた上記支柱４０，４１の上端部２２ａ，２２ｂには、上記基台１１に平行な上方基板１６が設けられている。
上記上方基板１６は所定の厚さ寸法を有し、上記基台１１に設けられたネジ穴１８ａ，１８ｂと同じ間隔幅を有して設けられた孔２４ａ，２４ｂが設けられる。上記支柱４０，４１の上端部２２ａ，２２ｂには、ネジ穴が設けられている。
上記上方基板１６は、上記支柱４０，４１の上端部２２ａ，２２ｂに設けられ、上記上方基板１６の上方からネジ２３ａ，２３ｂを孔２４ａ，２４ｂに挿通して、上記支柱４０，４１の上端部２２ａ，２２ｂに設けられたネジ穴に対し嵌合することにより、上記上方基板１６は上記支柱４０，４１に係合されている。
【００２７】
上記基台１１と上記上方基板１６との間には、上記基台１１と上記上方基板１６とに平行な中間板１７が設けられている。
上記中間板１７は所定の厚さ寸法を有し、上記中間板１７は上記基台１１に設けられたネジ穴１８ａ，１８ｂと同じ間隔幅を有して設けられた孔２４ａ，２４ｂを有する。
上記中間板１７は、上記上方支柱４０ａ，４１ａと、上記下方支柱４０ｂ，４１ｂとの間に設けられている。
上記孔２４ａ，２４ｂは、上記上方支柱４０ａ，４１ａの下端部２１ａ，２１ｂに設けられたネジ部と、上記下方支柱４０ｂ，４１ｂの上端部２０ａ，２０ｂに設けられたネジ穴との間に挟持され、上記中間板１７は、上記上方支柱４０ａ，４１ａと上記下方支柱４０ｂ，４１ｂとの間に固定されている。
【００２８】
上記ディスプレイパネル２９ａ，２９ｂ，３０ａ，３０ｂは、弾性のある樹脂素材または紙素材により形成されている。
図１、２に示すように、上記ディスプレイパネル２９ａ，２９ｂ，３０ａ，３０ｂは夫々左右端縁に凸片部３３ａ，３３ｂ，３３ｃ，３３ｄが設けられ、上記上方支柱４０ａ，４１ａ及び下方支柱４０ｂ，４１ｂは上記ディスプレイパネル２９ａ，２９ｂ，３０ａ，３０ｂの凸片部３３ａ，３３ｂ，３３ｃ，３３ｄに対応した凹部３４ａ，３４ｂ，３４ｃ，３４ｄが設けられ、上記凸片部３３ａ，３３ｂ，３３ｃ，３３ｄは、上記上方支柱４０ａ，４１ａ及び下方支柱４０ｂ，４１ｂに設けられた凹部３４ａ，３４ｂ，３４ｃ，３４ｄに取り外し自在に係合されている。
上記凸片部３３ａ，３３ｂ，３３ｃ，３３ｄは、上記ディスプレイパネル２９ａ，２９ｂ，３０ａ，３０ｂの幅方向左右端縁において、上記ディスプレイパネル２９ａ，２９ｂ，３０ａ，３０ｂの幅方向端辺を凸状にすることにより形成されている。
上記凸片部３３ａ，３３ｂ，３３ｃ，３３ｄの形状は台形、半円形などとし、特に形状は限定されるものではない。
上記凹部３４ａ，３４ｂ，３４ｃ，３４ｄは、上記上方支柱４０ａ，４１ａ及び下方支柱４０ｂ，４１ｂの長さ方向において延設され、上記上方支柱４０ａ，４１ａ及び下方支柱４０ｂ，４１ｂに凹状の切り込みが形成されている。
【００２９】
図１に示すように、上記基台１１と上記中間板１７、及び上記中間板１７と上記上方基板１６との間には、夫々ディスプレイパネル２９ａ，２９ｂ及び３０ａ，３０ｂが設けられている。
上記ディスプレイパネル２９ａ，２９ｂは、上記中間板１７と上記上方基板１６との間に設けられ、上記一対の上方支柱４０ａ，４１ａ間の高さ方向に沿って設けられている。
上記ディスプレイパネル３０ａ，３０ｂは、上記基台１１と上記中間板１７との間に設けられ、上記一対の下方支柱４０ｂ，４１ｂ間の高さ方向に沿って設けられている。
【００３０】
また、図３に示すように、上記支柱４０，４１，４２が３本からなるディスプレイ装置１０であってもよい。この場合、上記基台１１には３箇所のネジ穴１８ａ，１８ｂ，１８ｃが設けられ、上記３箇所のネジ穴１８ａ，１８ｂ，１８ｃで形成される三角形の夫々の辺長１８ａ−１８ｂ間、１８ｂ−１８ｃ間、１８ｃ−１８ａ間は上記ディスプレイパネル２９ａ，２９ｂ，２９ｃ，３０ａ，３０ｂ，３０ｃの幅方向よりも狭い間隔を有して設けられる。上記支柱４０，４１，４２は、上記３箇所のネジ穴１８ａ，１８ｂ，１８ｃに立設されている。
上記ディスプレイパネル２９ａ，２９ｂ，２９ｃ，３０ａ，３０ｂ，３０ｃは、幅方向両端辺を上記支柱４０，４１，４２の高さ方向に沿って設けられている。上記ディスプレイパネル２９ａ，２９ｂ，２９ｃ，３０ａ，３０ｂ，３０ｃは、上記基台１１上に設けられた支柱４０，４１，４２間において、断面略三角形状に支持されている。上記ディスプレイパネル２９ａ，２９ｂ，２９ｃ，３０ａ，３０ｂ，３０ｃは、上記基台１１内方に向かって凸状に湾曲して配置されている。
また、上記ディスプレイパネル２９ａ，２９ｂ，３０ａ，３０ｂは、上記基台１１外方に向かって凸状に湾曲して配置されてもよい。
【００３１】
以下、添付図面に示す実施の形態に基づき、本考案に係るディスプレイ装置１０の作用について詳細に説明する。
上記ディスプレイパネル２９ａ，２９ｂ，３０ａ，３０ｂは上記設置面３５に載置された基台１１上に立設された支柱４０，４１に設けられているため、自立したディスプレイ装置１０とすることができる。
【００３２】
ディスプレイパネル２９ａ，２９ｂと３０ａ，３０ｂは上記基台１１外方に向かって夫々凸状に湾曲して配置されていることから、上記支柱４０，４１間において前後方向から視認可能で立体的にディスプレイパネル２９ａ，２９ｂと３０ａ，３０ｂを表現することができる。
【００３３】
ディスプレイパネル２９ａ，２９ｂ，３０ａ，３０ｂは、凸片部３３ａ，３３ｂ，３３ｃ，３３ｄを、凹部３４ａ，３４ｂ，３４ｃ，３４ｄに係合することにより、上記ディスプレイパネル２９ａ，２９ｂ，３０ａ，３０ｂを上記ディスプレイ装置１０に設置することができ、また取り外しも、凸片部３３ａ，３３ｂ，３３ｃ，３３ｄを、凹部３４ａ，３４ｂ，３４ｃ，３４ｄから抜くことにより行われるため、容易に取り外し作業を行うことができる。
【００３４】
上記ディスプレイ装置１０は、中間板１７を有することから、上記中間板１７に展示物を載置することができる。
【産業上の利用可能性】
【００３５】
本件考案は、ディスプレイ装置の製造方法に係り、特に、店舗や催し物会場の床面に載置され、大型ディスプレイパネルの展示に用いられるディスプレイ装置に適用できるものである。
【図面の簡単な説明】
【００３６】
【図１】図１は本考案に係るディスプレイ装置１０の実施形態を示す全体斜視図である。
【図２】図２はディスプレイパネル２９ａ，３０ａと支柱４０，４１の側面を示す平面図である。
【図３】図３は本考案に係るディスプレイ装置５０の他の実施の形態を示す全体斜視図である。
【符号の説明】
【００３７】
１０ディスプレイ装置
１１基台
１６上方基板
１７中間板
１８ａ，１８ｂ，１８ｃネジ穴
１９ａ，１９ｂ，１９ｃ下端部
２０ａ，２０ｂ，２０ｃ上端部
２１ａ，２１ｂ，２１ｃ下端部
２２ａ，２２ｂ，２２ｃ上端部
２３ａ，２３ｂ，２３ｃネジ
２４ａ，２４ｂ，２４ｃ孔
２５ａ，２５ｂ，２５ｃ孔
２９ａ，２９ｂ，２９ｃディスプレイパネル
３０ａ，３０ｂ，３０ｃディスプレイパネル
３３ａ，３３ｂ，３３ｃ，３３ｄ凸片部
３４ａ，３４ｂ，３４ｃ，３４ｄ凹部
３５設置面
４０，４１，４２支柱
４０ａ，４１ａ，４２ａ上方支柱
４０ｂ，４１ｂ，４２ｂ下方支柱
５０ディスプレイ装置
【図１】
0003104017.tif 000002
【図２】
0003104017.tif 000003
【図３】
0003104017.tif 000004